(57)【要約】【課題】通話データを記録するための記録領域を従来よりも有効に利用することのできる電話端末を提供すること。【解決手段】複合機は、通話データの記録が開始された以降（ｓ１３０）、圏外状態となっている期間中は（ｓ１７０以降）、記録再生部による通話データの記録を中断させることができる。そのため、圏外状態となり音声通話が妨げられていた期間は、記録再生部５４による通話データの記録が行われず、音声通話の音声が記録されない無用な領域が通話データに含まれてしまうことがなく、通話データのデータサイズを無用に大きくしてしまうことがない。よって、記録再生部において通話データを記録するための記録領域を有効利用することができる。【選択図】図３
2004274614.tif 000002
【特許請求の範囲】
【請求項１】
各種データを記録する記録手段と、
各種音声を出力する音声出力手段と、
音声通話中における音声を、所定の開始条件が満たされてから所定の終了条件が満たされるまでの間、通話データとして前記記録手段に記録させる記録指令手段と、
利用者の操作を受けて、前記記録手段により記録された通話データを音声として前記音声出力手段に出力させる再生指令手段と、を備えた電話端末であって、前記記録指令手段による指令を受けた前記記録手段によって通話データの記録が開始された以降、音声通話を妨げる障害条件が成立している期間中は、前記記録手段による通話データの記録を中断させる記録中断手段を備えている
ことを特徴とする電話端末。
【請求項２】
当該電話端末と無線通信によって音声を含む各種データを送受信可能な子機端末と、
該子機端末による音声通話中に、該子機端末との無線通信が不能な圏外状態になったことを検出する圏外検出手段と、を備えており、
前記記録中断手段は、前記圏外検出手段により圏外状態が検出されている期間を、前記障害条件が成立している期間であると判定して、前記記録手段による通話データの記録を中断させる
ことを特徴とする請求項１に記載の電話端末。
【請求項３】
前記記録手段に記録される通話データのうち、前記障害条件が成立してから前記記録中断手段の指令により通話データの記録が中断されるまでのデータ領域を削除する領域削除手段を備えている
ことを特徴とする請求項１または請求項２に記載の電話端末。
【請求項４】
前記記録手段に記録される通話データを、前記記録中断手段の指令により記録が中断された時点の所定時間前から、該中断された時点に至るまでの間で、前記通話データにおける音声の音量が溶暗するように修正する溶暗補正手段を備えている
ことを特徴とする請求項１から３のいずれかに記載の電話端末。
【請求項５】
前記記録手段に記録される通話データを、前記記録中断手段の指令により記録が中断された後に記録が再開された時点から、所定時間経過した時点に至るまでの間で、前記通話データにおける音声の音量が溶明するように修正する溶明補正手段を備えている
ことを特徴とする請求項１から４のいずれかに記載の電話端末。
【請求項６】
前記再生指令手段は、前記記録手段に記録された通話データのうち、前記記録中断手段の指令により記録が中断された以前のデータ領域を音声として出力させた後、前記障害条件が成立していた旨を通知するための通知音を前記音声出力手段に出力させてから、記録が再開された以降のデータ領域を音声として出力させる
ことを特徴とする請求項１から５のいずれかに記載の電話端末。
【請求項７】
前記再生指令手段は、特定周波数の音声信号を前記通知音として所定期間だけ前記音声出力手段に出力させる
ことを特徴とする請求項６に記載の電話端末。
【請求項８】
前記記録中断手段により通話データの記録が中断されてから再開されるまでの中断時間をカウントする第１中断カウント手段を備えており、
前記記録指令手段は、前記通話データを前記記録手段に記録させる際、前記第１中断カウント手段によりカウントされた中断時間を示す中断データを対応づけて記録させて、
前記再生指令手段は、前記通話データに対応する前記中断データに基づいて、該中断データで示される中断時間だけ前記障害条件が成立していた旨のメッセージを生成し、該メッセージを前記通知音として前記音声出力手段に出力させる
ことを特徴とする請求項６に記載の電話端末。
【請求項９】
前記再生指令手段は、前記記録手段に記録された通話データのうち、前記記録中断手段の指令により記録が中断された以前のデータ領域を音声として出力させた後、所定期間待機してから、記録が再開された以降のデータ領域を音声として出力させる
ことを特徴とする請求項１から５のいずれかに記載の電話端末。
【請求項１０】
前記記録中断手段により通話データの記録が中断されてから再開されるまでの中断時間をカウントする第２中断カウント手段を備えており、前記記録指令手段は、前記通話データを前記記録手段に記録させる際、前記第２中断カウント手段によりカウントされた中断時間を示す中断データを対応づけて記録させて、
前記再生指令手段は、前記記録手段に記録された通話データのうち、記録が中断された以前のデータ領域を音声として出力させた後、該通話データに対応する前記中断データで示される中断時間だけ待機してから、記録が再開された以降のデータ領域を音声として出力させる
ことを特徴とする請求項９に記載の電話端末。
【請求項１１】
前記記録中断手段により通話データの記録が中断されてから再開されるまでの中断時間をカウントする第３中断カウント手段を備えており、
前記記録指令手段は、前記通話データを前記記録手段に記録させる際、前記第３中断カウント手段によりカウントされた中断時間を示す中断データを対応づけて記録させて、
前記再生指令手段は、前記記録手段に記録された通話データを音声として出力させる際、該通話データに対応する前記中断データで示される中断時間が所定時間以内である場合、前記通知音を出力させない
ことを特徴とする請求項６から１０のいずれかに記載の電話端末。
【請求項１２】
請求項１から１１のいずれかに記載の記録指令手段、再生指令手段および記録中断手段として機能させるための各種処理手順を、コンピュータシステムに実行させるための記録再生プログラム。
【発明の詳細な説明】
【０００１】
【発明の属する技術分野】
本発明は、音声通話中の音声を記録可能な電話端末、および、この電話端末において利用可能な記録再生プログラムに関する。
【０００２】
【従来の技術】
従来から、固定電話端末や携帯電話端末などの電話端末として、音声通話中の利用者が所定の操作を行うことにより、音声通話における音声の記録を開始および終了する機能を有するものが利用されている。
【０００３】
また、無線通話を行うための子機を備えた固定電話端末においては、固定電話端末本体の操作だけでなく、子機（子局）の操作により本体（留守番電話装置）側に送信される制御信号によっても音声通話の録音を開始および終了させる（通話録音モードを設定および設定解除する）ことができるようにすることが提案されている（特許文献１参照）。
【０００４】
【特許文献１】
特開昭５９−０７０３２６号公報
【０００５】
【発明が解決しようとする課題】
しかし、上述の電話端末では、子機での音声通話中に、例えば、無線通話における電波の送受信状況が悪化したり、子機の電池が切れたりしたときなど音声通話を妨げられた場合であっても、利用者が意図的に記録を中断させないかぎり、本体側での音声の記録が継続されてしまう。
【０００６】
そのため、こうして記録された音声を示す通話データのうち、音声通話が妨げられていた期間に対応する領域は、音声通話における音声が記録されておらず、このような無用な領域が通話データに含まれることによって、通話データのデータサイズ（データ量）を無用に大きくしてしまう。このことは、通話データを記録するための記録領域を有効利用するためには望ましくない。
【０００７】
本発明は、上記問題を解決するためになされたものであり、その目的は、通話データを記録するための記録領域を従来よりも有効に利用することのできる電話端末、および、この電話端末において利用可能な記録再生プログラムを提供することである。
【０００８】
【課題を解決するための手段および発明の効果】
上記課題を解決するため請求項１に記載の電話端末は、各種データを記録する記録手段、各種音声を出力する音声出力手段、記録指令手段および再生指令手段を備えた電話端末である。これらのうち、記録指令手段は、所定の開始条件が満たされてから所定の終了条件が満たされるまでの間、音声通話中における音声を通話データとして記録手段に記録させる。また、再生指令手段は、利用者の操作を受けて、記録手段により記録された通話データを音声として音声出力手段に出力させる。
【０００９】
さらに、この電話端末は、記録指令手段による指令を受けた記録手段によって通話データの記録が開始された以降、音声通話を妨げる障害条件が成立している期間中において、記録手段による通話データの記録を中断させる記録中断手段を備えている。
【００１０】
このように構成された電話端末によれば、記録指令手段による指令を受けた記録手段によって通話データの記録が開始された以降、音声通話を妨げる障害条件が成立している期間中は、記録手段による通話データの記録を記録中断手段により中断することができる。
【００１１】
そのため、音声通話中において音声通話が妨げられていた期間は、記録手段による通話データの記録が行われないため、音声通話の音声が記録されない無用な領域を通話データに含めてしまうことがなく、通話データのデータサイズ（データ量）を無用に大きくしてしまうことがない。よって、通話データを記録するための記録領域を有効利用することができる。
【００１２】
なお、上述した記録指令手段は、記録手段による通話データの記録を指令する手段であって、所定の開始条件が満たされてから所定の終了条件が満たされるまで通話データの記録を指令する。ここで、「所定の開始条件」とは、例えば、利用者により通話データの記録を開始するための操作手順が行われることなどである。また、「所定の終了条件」とは、例えば、利用者により通話データの記録を終了するための操作手順が行われること、音声通話を終了するための操作が行われることなどである。
【００１３】
また、記録中断手段は、記録手段による通話データの記録を中断および再開させる手段であって、音声通話を妨げる障害条件が成立してから成立しなくなるまで記録を中断させる。ここで、「障害条件」とは、音声通話を妨げる条件であって、例えば、電話端末が無線通信により音声を送受信可能な子機端末を備えている場合、この子機端末との無線通信が不能な状態になったことなどである。この状態を「障害条件」とするための具体的な構成としては、請求項２に記載のような構成を考えることができる。
【００１４】
請求項２に記載の電話端末は、当該電話端末と無線通信によって音声を含む各種データを送受信可能な子機端末と、子機端末による音声通話中に、子機端末との無線通信が不能な圏外状態になったことを検出する圏外検出手段と、を備え、記録中断手段が、圏外検出手段により圏外状態が検出されている期間を、障害条件が成立している期間であると判定して、記録手段による通話データの記録を中断させる。
【００１５】
このように構成された電話端末によれば、子機端末との無線通信が不能になっている期間中は、記録手段による通話データの記録を中断させることができる。なお、この構成における圏外検出手段は、電話端末本体と子機端末との無線通信が不能になったことを検出する手段であって、例えば、無線通信に際して子機端末が送信する電波の受信レベルが所定のしきい値以下になったことを、無線通信が不能になったこととして検出するように構成すればよい。
【００１６】
ところで、上述の障害条件が成立した後、記録中断手段の指令により通話データの記録が実際に中断されるまでには、若干のタイムラグが発生するため、通話データのうちの記録が中断される直前の領域には、音声通話における音声が記録されないことになる。
【００１７】
そこで、請求項３に記載のように、記録手段に記録される通話データのうち、障害条件が成立してから記録中断手段の指令により通話データの記録が中断されるまでのデータ領域を削除する領域削除手段を備えるとよい。
このように構成された電話端末によれば、通話データのうち、障害条件が成立してから記録中断手段の指令により通話データの記録が中断されるまでのデータ領域、つまり、障害条件の成立後に通話データの記録が実際に中断されるまでのタイムラグに起因して音声が記録されないと想定される領域を削除することができる。これによって、通話データを記録するための記録領域をより一層有効利用することができる。
【００１８】
また、上述したように、記録手段に記録された通話データは、再生指令手段の指令を受けた音声出力手段により音声として出力されるが、このとき、通話データを、記録指令手段により記録させられた状態のままで音声として出力させると、音声出力手段からは、記録が中断された時点までの音声が出力された後、続けて、記録が再開された以降の音声が出力されることになる。このようにして出力される音声は、音声の記録が中断されていた期間が詰められただけであるため、利用者にとっては、音声の記録が中断されていたことを認識しにくく、単に不自然な音声として認識されてしまう恐れがある。
【００１９】
そこで、請求項４に記載のように、記録手段に記録される通話データを、記録中断手段の指令により記録が中断された時点の所定時間前から、中断された時点に至るまでの間で、通話データにおける音声の音量が溶暗するように修正する溶暗補正手段を備えるとよい。
【００２０】
このように構成された電話端末によれば、記録手段に記録された通話データを、再生指令手段の指令を受けた音声出力手段により音声として出力させる際、記録が中断された時点の所定時間前から中断された時点に至るまでに音量を溶暗（フェードアウト）させることができる。そのため、音声の記録が中断された時点に向けて音量が小さくなり、利用者にとって記録が中断されていたことを認識しやすい音声とすることができる。
【００２１】
さらに、この構成においては、請求項５に記載のように、記録手段に記録される通話データを、記録中断手段の指令により記録が中断された後に記録が再開された時点から、所定時間経過した時点に至るまでの間で、通話データにおける音声の音量が溶明するように修正する溶明補正手段を備えるとよい。
【００２２】
このように構成された電話端末によれば、記録手段に記録された通話データを、再生指令手段の指令を受けた音声出力手段により音声として出力させる際、記録が再開された時点から、この時点よりも所定時間経過した時点に至るまでに音量を溶明（フェードイン）させることができる。そのため、音声の記録が再開された時点から音量が徐々に大きくなり、利用者にとって記録が中断されていたことを認識しやすくい音声とすることができる。
【００２３】
特に、請求項４に記載のように溶明補正手段をも備えた構成であれば、音声の記録が中断された時点に向けて音量が小さくなった後、音声の記録が再開された時点から徐々に音量が大きくなる。そのため、利用者にとって記録が中断されていたことを確実に認識できる自然な音声とすることができる。
【００２４】
また、請求項６に記載の電話端末は、再生指令手段が、記録手段に記録された通話データのうち、記録中断手段の指令により記録が中断された以前のデータ領域を音声として出力させた後、障害条件が成立していた旨を通知するための通知音を音声出力手段に出力させてから、記録が再開された以降のデータ領域を音声として出力させる。
【００２５】
このように構成された電話端末によれば、記録手段に記録された通話データを、再生指令手段の指令を受けた音声出力手段により音声として出力させる際、通知音を音声出力手段に出力させることによって、障害条件が成立していたことに起因して音声の記録が中断されていた旨を利用者に通知することができる。
【００２６】
なお、この構成における再生指令手段は、障害条件が成立していた旨を通知するための通知音として、例えば、請求項７に記載のように、特定周波数の音声信号を通知音として所定期間だけ音声出力手段に出力させるように構成すればよい。
【００２７】
このように構成された電話端末によれば、特定周波数の音声信号によって、障害条件が成立していたことに起因して音声の記録が中断されていた旨を利用者に通知することができる。
なお、上述した「特定周波数の音声信号」とは、例えば、障害条件が成立していたことを通知するための周波数としてあらかじめ決められた周波数からなる音声や、音声通話を保留する際に利用される保留音などのことである。また、この通知音を出力させる「所定の期間」は、例えば、あらかじめ定められた時間が経過するまでの間や、通知音が同一パターンを繰り返す音である場合にパターンの繰り返し回数が所定の回数に到達するまでの間などである。
【００２８】
また、上述の再生指令手段は、障害条件が成立していた旨を通知するための通知音として、障害条件が成立していたことに起因して音声の記録が中断されていた中断時間を通知するためのメッセージを出力するように構成してもよい。このようなメッセージを通知音として出力させるための具体的な構成としては、請求項８に記載のような構成を考えることができる。
【００２９】
請求項８に記載の電話端末は、記録中断手段により通話データの記録が中断されてから再開されるまでの中断時間をカウントする第１中断カウント手段を備えており、記録指令手段が、通話データを記録手段に記録させる際、第１中断カウント手段によりカウントされた中断時間を示す中断データを対応づけて記録させて、再生指令手段が、通話データに対応する中断データに基づいて、この中断データで示される中断時間だけ障害条件が成立していた旨のメッセージを生成し、このメッセージを通知音として音声出力手段に出力させる。
【００３０】
このように構成された電話端末によれば、中断データで示される中断時間だけ障害条件が成立していた旨のメッセージによって、障害条件が成立していたことに起因して音声の記録が中断されていた旨だけでなく、中断されていた時間をも利用者に通知することができる。
【００３１】
また、請求項９に記載の電話端末は、再生指令手段が、記録手段に記録された通話データのうち、記録中断手段の指令により記録が中断された以前のデータ領域を音声として出力させた後、所定期間待機してから、記録が再開された以降のデータ領域を音声として出力させる。
【００３２】
このように構成された電話端末によれば、記録手段に記録された通話データを、再生指令手段の指令を受けた音声出力手段により音声として出力させる際、音声の記録が中断された以前のデータ領域を音声として出力させた後で所定期間待機することによって、障害条件が成立していたことに起因して音声の記録が中断されていた旨を利用者に通知することができる。
【００３３】
なお、この構成において、再生指令手段が、音声の記録が中断された以前のデータ領域を音声として出力させた後に待機する「所定期間」としては、例えば、あらかじめ定められた時間や、実際に音声の記録が中断されていた期間などを考えることができる。このように、実際に音声の記録が中断されていた期間だけ待機するための構成としては、請求項１０に記載のような構成を考えることができる。
【００３４】
請求項１０に記載の電話端末は、記録中断手段により通話データの記録が中断されてから再開されるまでの中断時間をカウントする第２中断カウント手段を備えている。そして、記録指令手段が、通話データを記録手段に記録させる際、第２中断カウント手段によりカウントされた中断時間を示す中断データを対応づけて記録させて、再生指令手段は、記録手段に記録された通話データのうち、記録が中断された以前のデータ領域を音声として出力させた後、この通話データに対応する中断データで示される中断時間だけ待機してから、記録が再開された以降のデータ領域を音声として出力させる。
【００３５】
このように構成された電話端末によれば、記録が中断された以前のデータ領域を音声として出力させた後、実際に音声の記録が中断されていた期間だけ待機してから、記録が再開された以降のデータ領域を音声として出力することができる。これによって、音声の記録を中断しない従来の構成と同様の音声を、従来よりも少ないデータサイズの通話データにより再現することができる。
また、請求項１１に記載の電話端末は、記録中断手段により通話データの記録が中断されてから再開されるまでの中断時間をカウントする第３中断カウント手段を備えている。そして、記録指令手段が、通話データを記録手段に記録させる際、第３中断カウント手段によりカウントされた中断時間を示す中断データを対応づけて記録させて、再生指令手段は、記録手段に記録された通話データを音声として出力させる際、この通話データに対応する中断データで示される中断時間が所定時間以内である場合に通知音を出力させない。
このように構成された電話端末によれば、記録手段に記録された通話データを音声として出力させる際、音声の記録が中断されていた中断時間が所定時間以内である場合には通知音を出力しないようにすることができる。
【００３６】
上述したように、記録手段に記録された通話データを、記録指令手段により記録させられた状態のままで音声として出力させると、利用者にとっては、音声の記録が中断されていたことを認識しにくくなり、単に不自然な音声として認識される恐れがある。しかし、音声の記録が中断されていた時間がある程度の短さであれば、単に音声の記録が中断されていた期間を詰めただけでも、利用者にとっては自然な音声として認識できるようになる。そのため、上述の「所定時間」として、利用者にとって自然な音声として認識可能な「ある程度の短さ」の時間を設定しておけば、利用者にとって自然な音声として認識できる中断時間であれば、通知音を出力させないようにすることができる。
なお、この構成における第３中断カウント手段は、請求項８，１０に記載の第１，第２中断カウント手段と同一の手段であってもよいし、独立した別の手段であってもよい。
【００３７】
また、請求項１２に記載の記録再生プログラムは、請求項１から１１のいずれかに記載の記録指令手段、再生指令手段および記録中断手段として機能させるための各種処理手順を、コンピュータシステムに実行させるためのプログラムである。このようなプログラムを実行するコンピュータシステムは、請求項１から１１のいずれかに記載の電話端末の一部を構成することができる。
【００３８】
また、この記録再生プログラムを、請求項２に記載の圏外検出手段として機能させるための各種処理手順を、コンピュータシステムに実行させるためのプログラムとしてもよい。この場合、コンピュータシステムが請求項２から１１のいずれかに記載の電話端末の一部を構成することができる。
【００３９】
また、請求項１２に記載の記録再生プログラムを、請求項３に記載の領域削除手段として機能させるための各種処理手順を、コンピュータシステムに実行させるためのプログラムとしてもよい。この場合、コンピュータシステムが請求項３から１１のいずれかに記載の電話端末の一部を構成することができる。
【００４０】
また、請求項１２に記載の記録再生プログラムを、請求項４に記載の溶暗補正手段として機能させるための各種処理手順を、コンピュータシステムに実行させるためのプログラムとしてもよい。この場合、コンピュータシステムが請求項４から１１のいずれかに記載の電話端末の一部を構成することができる。
【００４１】
また、請求項１２に記載の記録再生プログラムを、請求項５に記載の溶明補正手段として機能させるための各種処理手順を、コンピュータシステムに実行させるためのプログラムとしてもよい。この場合、コンピュータシステムが請求項５から１１のいずれかに記載の電話端末の一部を構成することができる。
【００４２】
また、請求項１２に記載の記録再生プログラムを、請求項８，１０，１１に記載の中断カウント手段（第１，第２，第３中断カウント手段）として機能させるための各種処理手順を、コンピュータシステムに実行させるためのプログラムとしてもよい。この場合、コンピュータシステムが、請求項８から１１のいずれかに記載の電話端末の一部を構成することができる。
【００４３】
なお、上述した記録再生プログラムは、それぞれコンピュータシステムによる処理に適した命令の順番付けられた列からなるものであって、例えば、ＦＤ，ＣＤ−ＲＯＭ，メモリーカードなどの記録媒体，インターネットなどの通信回線網を介して、電話端末，コンピュータシステム，または、これらを利用する利用者に提供されるものである。また、このプログラムを実行するコンピュータシステムとしては、例えば、電話端末の備えるコンピュータシステム、電話端末に無線または有線の通信路を介してデータ通信可能に接続されたコンピュータシステムなどを利用することができる。
【００４４】
【発明の実施の形態】
次に本発明の実施の形態について例を挙げて説明する。
［第１実施形態］
複合機１は、電話端末，ファクシミリ，コピー機およびスキャナとして機能する装置であって、図１に示すように、本体側部に配設されたハンドセット１０、本体上面に配設された操作パネル２０および表示パネル３０、無線通話用の子機端末４０などを備えている。
【００４５】
また、この複合機１には、図２に示すように、制御部５２、記録再生部５４、スキャナ部６２、モデム６４、プリンタ部６６、符号器６７、復号器６８、音声入出力部７０、無線通信部８２、ＮＣＵ（ｎｅｔｗｏｒｋ  ｃｏｎｔｒｏｌ  ｕｎｉｔ）８４、経路設定部８６などが内蔵されている。
【００４６】
ハンドセット１０は、複合機１本体から取り外して使用する送受話器である。操作パネル２０は、文字，数字および記号を入力可能な複数の入力キー２２、音声入出力部７０によりハンズフリー通話を行うためのスピーカーホンボタン２４、後述する音声通話処理（図３）において利用される再生録音ボタン２６などからなる。
【００４７】
子機端末４０は、制御部４１、送受話部４２、表示パネル４３、操作パネル４４、無線通信部４５などを備えている。これらのうち、制御部４１は、制御部４１自身の備えるメモリに記録されたプログラムで示される処理手順に従い子機端末４０の各構成要素に指令を送ることによって、子機端末４０全体の動作を制御する。また、送受話部４２は、スピーカ４２ａ，マイク４２ｂ、および、これらを駆動する駆動回路４２ｃなどからなる。また、操作パネル４４は、文字，数字および記号を入力可能な複数の入力キー４４ａ、無線通話を開始するための外線ボタン４４ｂ、無線通話を終了するための切ボタン４４ｃ、後述する音声通話処理（図３）において利用される記録ボタン４４ｄなどからなる。また、無線通信部４５は、複合機１本体の無線通信部８２との間で音声信号を含む各種信号を無線通信で送受信することにより無線通話を実現する。なお、この子機端末４０においては、操作パネル４４が操作された際、その操作内容を示す制御信号が複合機１本体（の無線通信部８２）に送信されるように構成されており、複合機１本体（の制御部５２）は、この制御信号に基づいて子機端末４０の操作パネル４４で行われた操作内容を識別することができる。
【００４８】
制御部５２は、制御部５２自身の備えるメモリに記録されたプログラムで示される処理手順に従い複合機１の各構成要素に指令を送ることによって、複合機１全体の動作を制御する。
記録再生部５４は、制御部５２からの指令を受けて、経路設定部８６を介して入力した音声信号の記録、および、記録済みの音声信号の経路設定部８６を介しての出力（記録済み音声信号の再生）を行う。
【００４９】
スキャナ部６２は、制御部５２からの指令を受けて、読取位置９２（図１参照）にセットされた用紙から画像の読み取り行うと共に、この画像のイメージデータを生成する。このイメージデータは、符号器６７で符号化されてからモデム６４で変調されることにより電話回線網１００に伝送可能な画像信号とされた後、経路設定部８６へ出力される。
【００５０】
プリンタ部６６は、制御部５２からの指令を受けて、給紙位置９４（図１参照）にセットされた用紙へのイメージデータに基づく画像の印刷を行う。このように画像の印刷を行う対象となるイメージデータには、例えば、電話回線網１００から経路設定部８６およびＮＣＵ８４を介して入力された画像信号がモデム６４で復調されてから復号器６８で復号されることにより生成されるイメージデータなどがある。
【００５１】
音声入出力部７０は、スピーカ７２、マイク７４、および、これらを駆動する駆動回路７６で構成され、スピーカ７２から各種音声信号に基づく音声を出力する以外に、スピーカ７２およびマイク７４を送受話器として機能させることにより、ハンズフリー通話を行うために使用することもできる。なお、この音声入出力部７０のマイク７４は、操作パネル２０のうち穴２８が形成されている位置の裏面に配設され（図１参照）、この穴２８を介して音声が入力される。
【００５２】
無線通信部８２は、子機端末４０（の無線通信部４５）との間で音声信号を含めた各種信号を無線通信で送受信することにより無線通話を実現する。
ＮＣＵ８４は、電話回線網１００からの各種信号の入力および電話回線網１００への各種信号の出力を行う。なお、この電話回線網１００とは、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）であってもよいし、ＩＰ電話網であってもよい。
【００５３】
経路設定部８６は、送受話器として機能する各構成（ハンドセット１０、音声入出力部７０、子機端末４０のいずれか；以降、送受話器類とする）により通話を開始するための操作（以降、オフフック操作とする）が行われた場合に、制御部５２の指令を受けて、オフフック操作に対応する送受話器類を、ＮＣＵ８４から入力される音声信号の伝送先（出力先）およびＮＣＵ８４へ出力する音声信号の伝送元（入力元）に設定する。具体的には、ハンドセット１０が複合機１本体から取り外された場合はハンドセット１０に設定され、操作パネル２０のスピーカーホンボタン２４が押下された場合は音声入出力部７０に設定され、子機端末４０の操作パネル４４を構成する外線ボタン４４ｂが押下されたことが識別された場合には子機端末４０（つまり、無線通信部８２）に設定される。こうして、ＮＣＵ８４と送受話器類とを結ぶ経路を音声信号が伝送可能な状態となる。
【００５４】
また、この経路設定部８６は、送受話器類を音声信号の伝送先および伝送元に設定した以降、送受話器類により通話を終了するための操作（以降、オンフック操作とする）が行われた場合に、制御部５２の指令を受けて、上述の伝送先および伝送元の設定を解除する。ここでいうオフセット操作とは、ハンドセット１０を複合機１本体に戻す操作、操作パネル２０のスピーカーホンボタン２４を再度押下する操作、子機端末４０の操作パネル４４を構成する切ボタン４４ｃを押下する操作である。こうして、ＮＣＵ８４と送受話器類とを結ぶ経路に音声信号が伝送されない状態となる。
○複合機１による音声通話処理
以下に、複合機１の備える制御部５２により実行される音声通話処理の処理手順を図３に基づいて説明する。この音声通話処理は、いずれかの送受話器類によりオフフック操作が行われた際に開始される。なお、このオフフック操作が、電話回線網１００を介して着信を受けた際に行われた際には、この着信元との間における音声通話が開始される。また、オフフック操作の後、所定の発呼先を発呼する操作が行われ、この発呼先が応答した際には、この発呼先との間における音声通話が開始される。
【００５５】
まず、オンフック操作が行われたかどうかをチェックする（ｓ１１０）。
このｓ１１０の処理でオンフック操作が行われていれば（ｓ１１０：ＹＥＳ）、本音声通話処理を終了する。
一方、ｓ１１０の処理でオンフック操作が行われていなければ（ｓ１１０：ＮＯ）、会話内容の記録を開始するための操作が行われたかどうかをチェックする（ｓ１２０）。この「会話内容の記録を開始するための操作」とは、本音声通話処理がハンドセット１０または音声入出力部７０に対するオフフック操作で開始された場合であれば、操作パネル２０の再生録音ボタン２６を押下する操作である。また、本音声通話処理が子機端末４０に対するオフフック操作で開始された場合であれば、子機端末４０における操作パネル４４の記録ボタン４４ｄを押下する操作である。
【００５６】
このｓ１２０の処理で、会話内容の記録を開始するための操作が行われていなければ（ｓ１２０：ＮＯ）、ｓ１１０の処理へ戻る一方、会話内容の記録を開始するための操作が行われたら（ｓ１２０：ＹＥＳ）、会話内容の記録を開始する（ｓ１３０）。この処理では、まず、経路設定部８６によって、ＮＣＵ８４と送受話器類とを結ぶ経路に音声信号が伝送可能な状態を維持させたまま、ＮＣＵ８４から入力される音声信号の伝送先として記録再生部５４を設定させると共に、送受話器類から入力される音声信号の伝送先として記録再生部５４を設定させる。これにより、利用者および通話相手（着信元または発呼先）それぞれの音声に基づく音声信号が、記録再生部５４に入力されるようになる。そして、記録再生部５４によって、ＮＣＵ８４および送受話器類それぞれから入力される音声信号、つまり、会話内容を示す音声信号の通話データとしての記録を開始させる（図４における「記録開始」参照）。この通話データは、以降の処理（ｓ１５０，ｓ３１０の処理）で会話内容の記録が終了されるまでの記録時間に応じて順次データサイズ（データ量）が大きくなる。
【００５７】
次に、オンフック操作が行われたかどうかをチェックする（ｓ１４０）。
このｓ１４０の処理で、オンフック操作が行われていれば（ｓ１４０：ＹＥＳ）、ｓ１３０の処理で開始された会話内容の記録を終了した後（ｓ１５０）、本音声通話処理を終了する。このｓ１５０の処理では、まず、記録再生部５４によって、ＮＣＵ８４および送受話器類それぞれから入力される音声信号の記録を終了させる。続いて、このｓ１５０の処理までに生成された通話データに、過去に行われた本音声通話処理において記録再生部５４に記憶された通話データの連番を示す連番データを対応づける。そして、経路設定部８６によって、ＮＣＵ８４と送受話器類とを結ぶ経路、ＮＣＵ８４と記録再生部５４とを結ぶ経路、および、送受話器類と記録再生部５４とを結ぶ経路の設定をそれぞれ解除させる。これにより、利用者と通話相手との音声通話が終了すると共に、利用者および通話相手それぞれの音声に基づく音声信号が記録再生部５４に入力されないようになる。
【００５８】
一方、ｓ１４０の処理で、オンフック操作が行われていなければ（ｓ１４０：ＮＯ）、会話内容の記録を終了するための操作が行われたかどうかをチェックする（ｓ１６０）。この「会話内容の記録を終了するための操作」とは、ｓ１３０の処理による会話内容の記録が操作パネル２０の再生録音ボタン２６を押下することにより開始された場合には、再度、再生録音ボタン２６を押下する操作である。また、ｓ１３０の処理による会話内容の記録が子機端末４０における操作パネル４４の記録ボタン４４ｄを押下することにより開始された場合には、再度、記録ボタン４４ｄを押下する操作である。
【００５９】
このｓ１６０の処理で、会話内容の記録を終了するための操作が行われていなければ（ｓ１６０：ＮＯ）、圏外状態になっているかどうかをチェックする（ｓ１７０）。この「圏外状態」とは、本音声通話処理が子機端末４０のオフフック操作により開始された場合のみ発生しうる状態であって、複合機１本体（の無線通信部８２）と子機端末４０との無線通信が不能になった（または、不能になりそうな）状態である。制御部５２は、子機端末４０との間で無線通話が実現されている間、子機端末４０から無線通信部８２を介して受信される電波の受信レベルを監視するように構成されている。そして、このｓ１７０の処理では、子機端末４０から受信される電波の受信レベルが無線通信を継続するのに要する必要レベルを下回った場合（または、下回りそうな場合）に、「圏外状態」であると判定する。なお、受信レベルが必要レベルを下回る状況としては、例えば、子機端末４０が複合機１本体から離れすぎたことにより、子機端末４０自身（の無線通信部４５）が送信した電波を複合機１本体（の無線通信部８２）が充分な受信レベルで受信できなくなった、つまり、電波の受信圏外となった状況が考えられる。また、子機端末４０を駆動する電池（図示されない）の残り容量が少なくなったことにより、子機端末４０が充分な信号レベルの電波を送信できなくなった状況も考えられる。
【００６０】
このｓ１７０の処理で、圏外状態になっていない場合（ｓ１７０：ＮＯ）、ｓ１４０の処理へ戻る。
一方、ｓ１７０の処理で、圏外状態になっている場合（ｓ１７０：ＹＥＳ）、ｓ１３０の処理で開始された会話内容の記録を中断させる（ｓ１８０）。この処理では、記録再生部５４によって、ＮＣＵ８４および送受話器類から入力される音声信号の記録を中断させる（図４における「圏外検出」参照）。
【００６１】
次に、タイマーによるカウント（カウントアップ）をスタートさせる（ｓ１９０）。
次に、通話データにおいて会話内容の記録を中断させた領域を補正する（ｓ２００）。実際に圏外状態になってから制御部５２がｓ１８０の処理で会話内容の記録を中断させるまでには、制御部５２による検出精度および検出タイミングや、記録再生部５４に指令が送られるまで時間といった要因により若干のタイムラグが発生する。そのため、ｓ１８０の処理で記録が中断された時点では、通話データに会話内容が記録されていない領域が存在することになる。そこで、このｓ２００の処理では、ｓ１８０の処理を終えた時点の通話データから、上述のタイムラグに相当する時間ｔｌとしてあらかじめ定められたデータ領域ｄｌを削除することによって（図４参照）、通話データを、会話内容の記録されていない領域が存在しない状態に補正（修正）する。
【００６２】
次に、通話データに、会話内容の記録を中断した旨を示す中断データｄｓを付加する（ｓ２１０）。この中断データｄｓは、単に会話内容の記録が中断された旨、および、記録が中断された領域を特定するためだけに付加されるデータであり、音声信号をデータとして記録した場合のデータサイズよりも充分にデータサイズの小さいデータである（図４参照）。
【００６３】
次に、オンフック操作が行われたかどうかをチェックする（ｓ２２０）。
このｓ２２０の処理でオンフック操作が行われていれば（ｓ２２０：ＹＥＳ）、ｓ１５０の処理へ移行する。
一方、ｓ２２０の処理でオンフック操作が行われていなければ（ｓ２２０：ＮＯ）、圏外状態が継続しているかどうかをチェックする（ｓ２３０）。この処理では、ｓ１７０の処理と同様に、圏外状態であるかどうかのチェックが行われる。
【００６４】
このｓ２３０の処理で、圏外状態が継続していない場合（ｓ２３０：ＮＯ）、ｓ１８０の処理で中断された会話内容の記録を再開させる（ｓ２４０）。この処理では、記録再生部５４によって、ＮＣＵ８４および送受話器類から入力される音声信号の記録を再開させる（図４における「圏内検出」参照）。なお、圏外状態が継続しなくなった状況としては、例えば、子機端末４０が複合機１本体に近づいたことにより、子機端末４０自身が送信した電波を複合機１本体が充分な受信レベルで受信できるようになった、つまり、電波の受信圏内に復帰した状況が考えられる。また、子機端末４０を駆動する電池の残り容量が少なくなったことにより圏外状態になっていた場合には、この子機端末４０が充電器（図示されない）にセットされて充電器からの電源供給を受けたことにより、充分な信号レベルで電波を送信できるようになった状況が考えられる。
【００６５】
次に、ｓ２１０の処理で付加された中断データｄｓに中断時間情報を付加する（ｓ２５０）。この処理では、中断データｄｓをタイマーのカウント値、つまり、記録を中断していた中断時間を特定できるようにするために、中断時間情報（中断時間を示すデータ）を付加する。
【００６６】
そして、ｓ１９０の処理でカウントを開始したタイマーをストップおよびリセットした後（ｓ２６０）、ｓ１４０の処理へ戻る。
一方、ｓ２３０の処理で、圏外状態が継続している場合（ｓ２３０：ＹＥＳ）、会話内容の記録を終了するための操作が行われたかどうかをチェックする（ｓ２７０）。この処理は、ｓ１６０の処理と同様の処理である。
【００６７】
このｓ２７０の処理で、会話内容の記録を終了するための操作が行われていなければ（ｓ２７０：ＮＯ）、圏外状態に対してタイムアウトとなったかどうかをチェックする（ｓ２８０）。この処理では、ｓ１９０の処理でカウントを開始したタイマーのカウント値が、所定のしきい値（本実施形態においては、１分）以上である場合に、タイムアウト（時間切れ）であると判定する。
【００６８】
このｓ２８０の処理で、タイムアウトとなっていなければ（ｓ２８０：ＮＯ）、ｓ２２０の処理へ戻る。
一方、ｓ２８０の処理で、タイムアウトとなっていれば（ｓ２８０：ＹＥＳ）、ｓ２１０の処理で付加された中断データｄｓに中断時間情報を付加する（ｓ２９０）。この処理では、ｓ２５０の処理と同様に、中断データｄｓをタイマーのカウント値を特定できるようにするために、中断時間情報を付加する。
【００６９】
次に、ｓ１９０の処理でカウントを開始したタイマーをストップおよびリセットする（ｓ３００）。
そして、ｓ３００の処理を終えた後、また、ｓ１６０の処理で会話内容の記録を終了するための操作が行われている場合（ｓ１６０：ＹＥＳ）、ｓ１３０の処理で開始された会話内容の記録を終了した後（ｓ３１０）、ｓ１１０の処理へ戻る。このｓ３１０の処理では、ｓ１５０の処理と同様に、まず、ＮＣＵ８４および送受話器類から入力される音声信号の記録を終了させる（図４における「記録終了」参照）。続いて、このｓ３１０の処理までに生成された通話データに、上述の連番データを対応づける。そして、ＮＣＵ８４と記録再生部５４とを結ぶ経路の設定、および、送受話器類と記録再生部５４とを結ぶ経路の設定を解除させる。これにより、利用者と通話相手との音声通話が継続したまま、利用者および通話相手（着信元または発呼先）それぞれの音声に基づく音声信号が記録再生部５４に入力されないようになる。
【００７０】
こうして、ｓ１１０の処理へ戻った後、ｓ１１０，ｓ１４０またはｓ２２０の処理でオンフック操作が行われることにより、本音声通話処理を終了する（図４における「オンフック」参照）。
○複合機１による会話再生処理
以下に、複合機１の備える制御部５２により実行される会話再生処理の処理手順を図５に基づいて説明する。この会話再生処理は、複合機１による音声通話が実現されていない状態において、操作パネル２０の再生録音ボタン２６が押下された際に開始される。
【００７１】
まず、変数Ｎを初期化する（ｓ４１０）。この処理では、変数Ｎに「１」をセット（１→Ｎ）する。なお、以降に記載の「ｎ」は、変数Ｎにセットされた値を示すものとする。
次に、経路設定部８６に、記録再生部５４から出力される音声信号の伝送先（伝送経路）として音声入出力部７０を設定させる（ｓ４２０）。
【００７２】
次に、記録再生部５４に第ｎ番目の通話データが記録されているかどうかをチェックする（ｓ４３０）。この処理においては、記録再生部５４により記録されている通話データのうち、通話データに対応する連番データで示される連番が第ｎ番となっている通話データが検出された場合に、第ｎ番目の通話データが記録されていると判定する。
【００７３】
このｓ４２０の処理で、記録再生部５４により第ｎ番目の通話データが記録されている場合（ｓ４３０：ＹＥＳ）、この通話データが、記録の中断されていた期間が存在するデータであるかどうかをチェックする（ｓ４４０）。この処理では、第ｎ番目の通話データが、ｓ２１０の処理で付加された中断データを含むデータである場合に、記録の中断されていた期間が存在するデータであると判定する。
【００７４】
このｓ４４０の処理で、記録の中断されていた期間が存在しないデータである場合（ｓ４４０：ＮＯ）、第ｎ番目の通話データで示される会話内容を再生させる（ｓ４５０）。この処理では、記録再生部５４に第ｎ番目の通話データを全てのデータ領域にわたって再生（出力）させる。これにより、記録再生部５４により再生された第ｎ番目の通話データで示される会話内容が、音声入出力部７０により音声として出力される。
【００７５】
一方、ｓ４４０の処理で、記録の中断されていた期間が存在するデータである場合（ｓ４４０：ＹＥＳ）、変数Ｍを初期化する（ｓ４６０）。この処理では、変数Ｍに「１」をセット（１→Ｍ）する。なお、以降に記載の「ｍ」は変数Ｍにセットされた値を示すものとする。
【００７６】
次に、第ｎ番目の通話データのうち、第ｍ番目の中断地点までのデータ領域を再生させる（ｓ４７０）。この処理では、通話データを中断データｄｓで区切られた複数のデータ領域で構成されるデータとみなし（図４参照）、通話データの先頭から第ｍ番目の中断データｄｓに対し、この中断データｄｓの直前に位置するデータ領域（図４における「データ領域１」参照）のみを、記録再生部５４に再生（出力）させる。これにより、記録再生部５４により再生された第ｎ番目の通話データにおける第ｍ番目のデータ領域で示される会話内容が、音声入出力部７０により音声として出力される。
【００７７】
このｓ４７０の処理による会話内容の出力が終了した後、会話内容の記録が中断されていた旨を報知する（ｓ４８０）。この処理では、記録再生部５４にあらかじめ記録されているメッセージのうち、会話内容の記録が中断されていた旨を報知するためのメッセージ中に、第ｍ番目の中断データで特定される中断時間を示す音声を挿入した音声信号を、記録再生部５４に再生させて音声入出力部により音声として出力させることにより報知を行う。記録再生部５４には、時間を示す数字および単位（時，分，秒）それぞれの音声を示す音声信号が記録されているため、これらの組合せで中断時間を示す音声信号を生成し、上述のメッセージに挿入する。
【００７８】
次に、変数Ｍに「１」を加算（ｍ＋１→Ｍ）する（ｓ４９０）。
次に、第ｎ番目の通話データに、第ｍ番目の中断地点が存在しているかどうかをチェックする（ｓ５００）。この処理では、通話データの先頭から第ｍ番目の中断データｄｓが存在する場合に、第ｍ番目の中断地点が存在していると判定する。
【００７９】
このｓ５００の処理で、第ｍ番目の中断地点が存在している場合（ｓ５００：ＹＥＳ）、ｓ４８０の処理による報知（メッセージの再生）が終了するのを待って、ｓ４７０の処理へ戻る。
一方、ｓ５００の処理で、第ｍ番目の中断地点が存在してない場合（ｓ５００：ＮＯ）、第ｎ番目の通話データのうち残りのデータ領域で示される会話内容を再生させる（ｓ５１０）。この処理では、通話データの先頭から第ｍ−１番目の中断データｄｓ（中断地点）に対し、この中断データｄｓ以降のデータ領域（図４における「データ領域２」参照）を、記録再生部５４に再生（出力）させる。これにより、記録再生部５４により再生された第ｎ番目の通話データにおける残りのデータ領域で示される会話内容が、音声入出力部７０により音声として出力される。
【００８０】
こうして、ｓ５１０の処理による会話内容の再生が終了、または、ｓ４５０の処理による会話内容の再生が終了したら、変数Ｎに「１」を加算（ｎ＋１→Ｎ）した後（ｓ５２０）、ｓ４３０の処理へ戻る。
こうして、ｓ４３０からｓ５２０の処理を繰り返すことにより、記録再生部５４により記録されている通話データで示される会話内容を順次再生した後、ｓ４３０の処理で記録再生部５４に第ｎ番目の通話データが記録されていない場合（ｓ４３０）、経路設定部８６に、記録再生部５４と音声入出力部７０とを結ぶ伝送経路の設定を解除させた後（ｓ５３０）、本会話再生処理を終了する。
【００８１】
［第１実施形態の効果］
このように構成された複合機１によれば、図３におけるｓ１３０の処理で記録再生部５４によって通話データの記録が開始された以降、圏外状態となっている期間中は、記録再生部５４による通話データの記録を中断させることができる。そのため、圏外状態となり複合機１本体と子機端末４０との無線通信が不能になっていた、つまり、音声通話が妨げられていた期間は、記録再生部５４による通話データの記録が行われない。よって、音声通話の音声が記録されない無用な領域が通話データに含まれてしまうことがなく、通話データのデータサイズ（データ量）を無用に大きくしてしまうことがないため、記録再生部５４において通話データを記録するための記録領域を有効利用することができる。
【００８２】
また、図３におけるｓ２００の処理によって、通話データを会話内容の記録されていない領域が存在しない状態に補正することができる。これによって、記録再生部５４において通話データを記録するための記録領域をより一層有効利用することができる。
【００８３】
また、図５におけるｓ４８０の処理で、記録が中断されていた旨の報知を行うことによって、圏外状態となったことに起因して会話内容の記録が中断されていた旨を利用者に通知することができる。
特に、このｓ４８０の処理では、中断時間を示す音声を挿入した音声信号を音声として出力することができるため、会話内容の記録が中断されていた旨だけでなく、中断されていた時間を利用者に通知することができる。
【００８４】
［第２実施形態］
複合機２は、第１実施形態における複合機１と同様の構成であり、一部処理内容が異なるだけであるため、この相違点についてのみ詳述する。
○複合機２による音声通話処理
以下に、複合機２の備える制御部５２により実行される音声通話処理の処理手順を図６に基づいて説明する。この音声通話処理は、図３における音声通話処理と同様の処理であって、一部処理内容が異なっているだけであるため、この相違点についてのみ詳述する。
【００８５】
まず、ｓ１９０の処理でタイマーによるカウントをスタートさせた後、通話データにおいて会話内容の記録を中断させた領域に溶暗処理を施して（ｓ２０２）、ｓ２２０の処理へ移行する。このｓ２０２の処理では、溶暗処理として、図７に示すように、通話データを記録が中断された時点ｐｏ１の所定時間ｔｏ（本実施形態においては、１秒）前の時点ｐｏ２から中断された時点ｐｏ１に至るまでの間で、通話データにおける音声信号の信号レベル（つまり、音声の音量）が溶暗（フェードアウト）するように修正する処理を行う。
【００８６】
また、ｓ２４０の処理で会話内容の記録を再開した後、以降に記録される通話データの領域に溶明処理を施して（ｓ２５２）、ｓ１４０の処理へ戻る。このｓ２５２の処理では、溶明処理として、図７に示すように、記録再生部５４に対し、このｓ２５２の処理以降に記録される通話データの領域を、記録が再開された時点ｐｉ１から所定時間ｔｉ（本実施形態においては、１秒）が経過した時点ｐｉ２に至るまでの間で、音声信号の信号レベルが溶明（フェードイン）するように随時修正させながら記録させるように指令する処理を行う。
【００８７】
なお、本実施形態における音声通話処理では、中断データに係わる処理（ｓ２１０，ｓ２５０，ｓ２９０の処理）を行わない。
○複合機２による会話再生処理
本実施形態における会話再生処理は、図５における会話再生処理と同様の処理であって、ｓ４３０の処理で第ｎ番目の通話データが記録されている場合に、ｓ４４０およびｓ４６０からｓ５１０の処理を行うことなく、ｓ４５０の処理へ移行するように構成されたものである。
【００８８】
［第２実施形態の効果］
このように構成された複合機２によれば、第１実施形態と異なる構成から得られる効果として、以下に示すような効果を得ることができる。
この複合機２によれば、記録再生部５４により記録された通話データを、図５の会話再生処理で音声として出力させる際、記録が中断された時点ｐｏ１の所定時間ｔｏ前の時点ｐｏ２から中断された時点ｐｏ１に至るまでに音量を溶暗させることができる。そのため、会話内容の記録が中断された時点に向けて音量が小さくなり、利用者にとって会話内容の記録が中断されていたことを認識しやすい音声とすることができる。
【００８９】
また、記録が再開された時点ｐｉ１から、この時点ｐｉ１よりも所定時間ｔｉ経過した時点ｐｉ２に至るまでに音量を溶明させることができる。そのため、会話内容の記録が再開された時点ｐｉ１から音量が徐々に大きくなり、利用者にとって会話内容の記録が中断されていたことを認識しやすい音声とすることができる。
【００９０】
上述のような通話データを、図６におけるｓ２０２およびｓ２５２の処理による溶暗処理および溶明処理を施すことなく、そのままの状態で音声として出力させると、音声入出力部７０からは、記録が中断された時点までの音声が出力された後、続けて、記録が再開された以降の音声が出力されることになる。このようにして出力される音声は、会話内容の記録が中断されていた期間が詰められただけであるため、利用者にとっては、会話内容の記録が中断されていたことを認識しにくく、単に不自然な音声として認識される恐れがある。そのため、上述のように溶暗・溶明処理を行うことによって、会話内容の記録が中断された時点に向けて音量が小さくなった後、会話内容の記録が再開された時点から徐々に音量が大きくなるため、利用者にとって会話内容の記録が中断されていたことを認識しやすい音声とすることができる。
【００９１】
［変形例］
以上、本発明の実施形態について説明したが、本発明は上記の具体的な実施形態に限定されず、このほかにも様々な形態で実施することができる。
例えば、上記実施形態においては、本発明における電話端末として、複合機１，２が適用されているものを例示した。しかし、本発明における電話端末としては、会話内容を記録・再生する機能を有していれば、複合機１，２以外の装置に適用してもよい。具体的には、周知の携帯電話機に適用することも可能である。この場合、図３，図６において圏外状態かどうかをチェックする際に、基地局との通信が不可能な状態となった際に圏外状態であると判定するように構成すればよい。
【００９２】
また、上記実施形態においては、各フローチャートで示される処理が、制御部５２からなるコンピュータシステムにより実行されるように構成されたものを例示した。しかし、これらの処理の一部または全部が、複合機１，２または子機端末４０に有線・無線の信号伝送路で接続された別のコンピュータシステムにより実行されるように構成してもよい。
【００９３】
また、上記実施形態においては、各フローチャートで示される処理が、制御部５２の備えるメモリに記憶されている処理手順に従って実行されるように構成されたものを例示した。しかし、複合機１，２が、ＦＤやメモリーカードなどの記録媒体との間でデータを入出力可能に構成されている場合には、上述の処理手順が記録されている記録媒体に基づいて、上記各処理が実行されるように構成してもよい。
【００９４】
また、上記実施形態においては、図３におけるｓ１２０の処理で、「会話内容の記録を開始するための操作」が行われたことを開始条件として、会話内容の記録を開始するように構成されたものを例示した。しかし、このｓ１２０の処理における開始条件として他の条件を採用してもよい。例えば、あらかじめ操作パネル２０（または、子機端末４０の操作パネル４４）の操作により、特定の操作内容（例えば、いずれかの送受話器類によるオフフック操作など）が行われたことを上記開始条件として設定できるように構成しておき、ｓ１２０の処理で開始条件として設定された操作内容の操作が行われた場合に、会話内容の記録を開始するように構成してもよい。
【００９５】
また、上記実施形態においては、図３におけるｓ１２０の処理で、「会話内容の記録を開始するための操作」が、ハンドセット１０による音声通話処理中の場合には再生録音ボタン２６を押下すること、子機端末４０による音声通話処理中の場合には記録ボタン４４ｄを押下することであるものを例示した。しかし、例えば、子機端末４０による音声通話処理中の場合に再生録音ボタン２６を押下することによって「会話内容の記録」を開始させるように構成してもよい。
【００９６】
また、上記実施形態においては、図３におけるｓ１６０，ｓ２７０の処理で「会話内容の記録を終了するための操作」が行われたこと、ｓ１４０，ｓ２２０の処理でオンフック操作が行われたこと、および、ｓ２８０の処理でタイムアウトとなったことを終了条件として、会話内容の記録を終了するように構成されたものを例示した。しかし、これら各処理における終了条件としては、他の条件を採用してもよい。例えば、あらかじめ操作パネル２０（または、子機端末４０の操作パネル４４）の操作により、特定の操作内容が行われたことを上記終了条件として設定できるように構成しておき、ｓ１２０の処理で開始条件として設定された操作内容の操作が行われた場合に、会話内容の記録を終了するように構成してもよい。
【００９７】
また、上記実施形態においては、図３におけるｓ１７０，ｓ２３０の処理で圏外状態となったかどうかを、子機端末４０から複合機１本体に送信される電波の受信レベルに基づいて判定するように構成されたものを例示した。しかし、圏外状態となったことを判定するための構成は特に限定されない。例えば、子機端末４０を、複合機１本体から送信される電波の受信レベルを監視し、この受信レベルが所定のレベル以下となった際に圏外状態になる旨を通知するための通知信号を複合機１に送信するように構成して、ｓ１７０，ｓ２３０の処理では、子機端末４０から通知信号を受信した場合に圏外状態になったと判定するように構成すればよい。
【００９８】
また、上記実施形態において、図３におけるｓ２８０の処理でタイムアウトとなった際には、タイムアウトにより会話内容の記録を終了する旨を報知した後でｓ２９０の処理へ移行するように構成するとよい。具体的には、例えば、経路設定部８６に記録再生部５４と音声入出力部７０とを結ぶ伝送経路を設定させ、記録再生部５４にあらかじめ記録されているメッセージのうち、タイムアウトにより会話内容の記録を終了する旨のメッセージを再生させ音声入出力部７０により出力させることにより報知を行うような構成が考えられる。また、経路設定部８６に記録再生部５４と送受話器類とを結ぶ伝送経路を設定させ、同様のメッセージを再生させ送受話器類により出力させることにより報知を行うような構成が考えられる。また、同様のメッセージを表示パネル３０に表示させることにより報知を行うような構成も考えられる。
【００９９】
また、上記実施形態においては、図５におけるｓ４８０の処理で、会話内容の記録が中断されていた旨を報知するためのメッセージにより報知を行うように構成されたものを例示した。しかし、この旨を報知するための構成としては、例えば、会話内容の記録が中断されていた旨を報知するための通知音としてあらかじめ定められた特定周波数の音声や、音声通話を保留する際に利用される保留音などを一定期間だけ再生することにより報知を行うように構成してもよい。このように構成すれば、特定周波数の音声信号や保留音によって、会話内容の記録が中断されていた旨を利用者に通知できる。なお、この場合における「一定期間」としては、例えば、あらかじめ定められた時間が経過するまでの間や、保留音の繰り返し回数が所定の回数に到達するまでの間などである。
【０１００】
また、上記実施形態においては、図５におけるｓ４８０の処理で、会話内容の記録が中断されていた旨を報知するためのメッセージにより報知を行うように構成されたものを例示した。しかし、このｓ４８０の処理において、いずれの音声を出力させることもなく、中断データｄｓで特定される中断時間だけ待機するように構成してもよい。このように構成すれば、会話内容の記録が中断された以前のデータ領域を音声として出力させた後で待機することによって、会話内容の記録が中断されていた旨を利用者に通知することができる。また、この場合には、実際に会話内容の記録が中断されていた期間だけ待機してから、記録が再開された以降のデータ領域を音声として出力することができる。そのため、会話内容の記録を中断しない従来の構成と同様の音声を、従来よりも少ないデータサイズの通話データにより再現することができる。
【０１０１】
また、上記実施形態においては、図５におけるｓ４７０，ｓ４８０の処理で、第ｍ番目の中断地点が存在する場合には、中断地点までのデータ領域の再生および中断されていた旨の報知を行うように構成されたものを例示した。しかし、ｓ４６０の処理を終えた後、図８に示すように、中断地点ｐｏ１から再開地点ｐｉ１に至る中断時間ｔｓが所定のしきい値ｔｐ以上（ｔｐ＜ｔｓ）である場合には（ｓ４６２：ＹＥＳ）、ｓ４７０の処理へ移行する一方、中断時間ｔｓがしきい値ｔｐ以下（ｔｓ≦ｔｐ）である場合には（ｓ４６２：ＮＯ）、ｓ４７０の処理と同様の第ｍ番目の中断地点までのデータ領域を再生した後（ｓ４７２）、ｓ４９０の処理へ移行するように構成してもよい。このように構成すれば、図８における会話再生処理で通話データを音声として出力させる際、会話内容の記録が中断されていた中断時間ｔｓが所定のしきい値ｔｐ以下である場合には、ｓ４８０の処理による報知を行わないようにすることができる。この場合、音声入出力部７０からは、記録が中断された時点までの音声が出力された後、続けて、記録が再開された以降の音声が出力されることになる。このようにして出力される音声は、会話内容の記録が中断されていた期間が詰められただけであるため、利用者にとっては、会話内容の記録が中断されていたことを認識しにくく、単に不自然な音声として認識される恐れがある。しかし、会話内容の記録が中断されていた時間がある程度の短さであれば、単に記録が中断されていた期間を詰めただけでも、利用者にとっては自然な音声として認識できるようになる。そのため、上述の「しきい値ｔｐ」として、利用者にとって自然な音声として認識可能な「ある程度の短さ」の時間を設定しておけば、利用者にとって自然な音声として認識できる中断時間であれば、報知を行うことなく、データ領域を連続して音声として出力させることができる。
【０１０２】
また、上記実施形態においては、圏外状態になったことを条件（障害条件）として、会話内容の記録を中断させるように構成されたものを例示した。しかし、会話内容の記録を中断させる際の条件としては、圏外状態以外の条件を採用してもよい。
【０１０３】
［本発明との対応関係］
以上説明した実施形態において、複合機１，２は本発明における電話端末、記録再生部５４は本発明における記録手段、音声入出力部７０は本発明における音声出力手段である。
【０１０４】
また、図３におけるｓ１３０からｓ１５０の処理は本発明における記録指令手段であり、ｓ１８０からｓ２４０の処理は本発明における記録中断手段であり、ｓ１７０からｓ２３０の処理は本発明における圏外検出手段、ｓ２００の処理は本発明における領域削除手段であり、図３におけるｓ１９０，ｓ２６０，ｓ３００の処理は本発明における中断カウント手段である。
【０１０５】
また、図５におけるｓ４４０からｓ５１０の処理は本発明における再生指令手段である。
また、図６におけるｓ１３０からｓ１５０の処理は本発明における記録指令手段であり、ｓ１８０からｓ２４０の処理は本発明における記録中断手段であり、ｓ１７０，ｓ２３０の処理は本発明における圏外検出手段であり、ｓ２０２の処理は本発明における溶暗補正手段であり、ｓ２５２の処理は本発明における溶明補正手段である。
【０１０６】
また、図８におけるｓ４４０からｓ５１０の処理は本発明における再生指令手段である。
また、本実施形態においては、図３，図６におけるｓ１７０，ｓ２３０の処理で圏外状態となったことが、本発明における障害条件が満たされた状態である。
【０１０７】
また、本実施形態においては、図５，図８におけるｓ４８０の処理で出力されるメッセージが本発明における通知音である。
【図面の簡単な説明】
【図１】本実施形態における複合機の外観を示す図
【図２】複合機の制御系統を示すブロック図
【図３】第１実施形態における音声通話処理の処理手順を示すフローチャート
【図４】記録再生部により記録される通話データを示す図
【図５】第１実施形態における会話再生処理の処理手順を示すフローチャート
【図６】第２実施形態における音声通話処理の処理手順を示すフローチャート
【図７】溶暗処理および溶明処理を施された通話データを示す図
【図８】他の実施形態における会話再生処理の処理手順を示すフローチャート
【符号の説明】
１，２・・・複合機、１０・・・ハンドセット、２０・・・操作パネル、２２・・・入力キー、２４・・・スピーカーホンボタン、２６・・・再生録音ボタン、２８・・・穴、３０・・・表示パネル、４０・・・子機端末、４１・・・制御部、４２・・・送受話部、４２ａ・・・スピーカ、４２ｂ・・・マイク、４２ｃ・・・駆動回路、４３・・・表示パネル、４４・・・操作パネル、４４ａ・・・入力キー、４４ｂ・・・外線ボタン、４４ｃ・・・切ボタン、４４ｄ・・・記録ボタン、４５・・・無線通信部、５２・・・制御部、５４・・・記録再生部、６２・・・スキャナ部、６４・・・モデム、６６・・・プリンタ部、７０・・・音声入出力部、７２・・・スピーカ、７４・・・マイク、７６・・・駆動回路、８２・・・無線通信部、８４・・・ＮＣＵ、８６・・・経路設定部、９２・・・読取位置、９４・・・給紙位置、１００・・・電話回線網。
【図１】
2004274614.tif 000003
【図２】
2004274614.tif 000004
【図３】
2004274614.tif 000005
【図４】
2004274614.tif 000006
【図５】
2004274614.tif 000007
【図６】
2004274614.tif 000008
【図７】
2004274614.tif 000009
【図８】
2004274614.tif 000010